(57)【要約】  【課題】  【解決手段】例えば、ドアハンドル、ノブ、及び同種のものに使用するためのハンドル又はアーマチャカバー材料又はカバーを繰り出し、回収するための器具がここに開示されている。一実施例において、この器具は、ハンドルカバー材料を供給及び回収の両方を行う二重用途のハンドルカバーリフィルカートリッジ、又は代替的に、複数のリールもしくはカートリッジ（例えば、供給リール及び巻き取りリール）を具えることができる自動ハンドルカバーディスペンサである。材料は、供給されるときに、消費者による使用中、少なくとも部分的にハンドル（例えば、ドアハンドル）を覆う。これは、消費者又は他の人が、汚れた又は衛生的ではないハンドルに触ることを防ぐようにハンドルの衛生的な完全性を維持する。このディスペンサは、ハンドルカバー材料の供給及び特に、回収を実現するように、ハンドルカバー材料の少なくとも一側部を切るために少なくとも一のカッターを具えることができる。ハンドルカバー材料の供給及び巻き取りは、ハンドルカバーリフィルカートリッジ（又は、場合によってはリール）内のハンドルカバー材料の巻き及び伸ばしによって達成することができる。一実施例において、ハンドルカバー材料は、ハンドル（一又はそれ以上のピース又は部分から構成できる）、ドアハンドル、ノブ、又は同種のものの少なくとも一部を覆う。ディスペンサユニットは、現在のロック可能な又はロック可能ではないドアアーマチャを補完する又は置き換えることができる（そして、レトロフィットとして機能する）。【選択図】図３
2009533579.tif 000002
【特許請求の範囲】
【請求項１】
ハンドルカバーディスペンサにおいて：
ハウジングと；
前記ハウジングの内部に配置されたモータと；
前記ハウジングから延在するハンドルと；
前記ハウジングの内部に配置され、前記モータと機能的に関連する二重用途のハンドルカバーリフィルカートリッジとを具え；
前記二重用途のハンドルカバーリフィルカートリッジは、ハンドルカバー材料を前記ハンドルへ供給及び前記ハンドルから回収の両方が可能であり、前記ハンドルカバー材料は、供給されるときに、少なくとも部分的に前記ハンドルを覆うことを特徴とするハンドルカバーディスペンサ。
【請求項２】
請求項１に記載のディスペンサにおいて、二重用途のハンドルカバーリフィルカートリッジがさらに、前記ハンドルへ前記ハンドルカバー材料を供給するための供給部と、前記ハンドルから前記ハンドルカバー材料を回収するための回収部とを具えることを特徴とするディスペンサ。
【請求項３】
請求項２に記載のディスペンサにおいて、二重用途のハンドルカバーリフィルカートリッジがさらに、第２の回収部を具え、第１及び第２の回収部がそれぞれ、前記ハンドルから前記ハンドルカバー材料の一部を回収することを特徴とするディスペンサ。
【請求項４】
請求項１に記載のディスペンサにおいて、前記ハウジングは、平坦又はほぼ平坦な基材又は構造物に固定可能であり、このように固定されたら、前記二重用途のハンドルカバーリフィルカートリッジは、前記基材に対して平行又はほぼ平行な軸を中心に回転するように方向付けられたスプール又は心棒を具えることを特徴とするディスペンサ。
【請求項５】
請求項１に記載のディスペンサにおいて、前記ハウジングは、平坦又はほぼ平坦な基材又は構造物に固定可能であり、このように固定されたら、前記二重用途のハンドルカバーリフィルカートリッジは、前記基材に対して角度を付けた軸を中心に回転するように方向付けられたスプール又は心棒を具えることを特徴とするディスペンサ。
【請求項６】
請求項１に記載のディスペンサにおいて、前記ハウジングが平坦又はほぼ平坦なドアに固定可能であることを特徴とするディスペンサ。
【請求項７】
請求項１に記載のディスペンサにおいて、前記ハンドルカバーが連続的な材料であることを特徴とするディスペンサ。
【請求項８】
請求項１に記載のディスペンサにおいて、前記ハンドルカバーが連続的なスリーブであることを特徴とするディスペンサ。
【請求項９】
請求項１に記載のディスペンサがさらに、前記ハンドルカバー材料の自動供給及び自動回収の少なくとも一方に使用する少なくとも一の対象物検出センサを具えることを特徴とするディスペンサ。
【請求項１０】
請求項１に記載のディスペンサがさらに、ハンドルカバー材料の回収を容易にするために前記ハンドルカバー材料を切る少なくとも一のカッターを具えることを特徴とするディスペンサ。
【請求項１１】
請求項１に記載のディスペンサにおいて、ハンドルは、ハンドルコアと、前記ハンドルカバー材料の取付又は使用を容易にするために前記ハンドルコアによって受けられ得るハンドルオーバーレイとを具えることを特徴とするディスペンサ。
【請求項１２】
請求項１に記載のディスペンサがさらに、前記モータのアセンブリに機能的に関連する駆動機構を具え、前記駆動機構は、前記二重用途のハンドルカバーリフィルカートリッジからの供給及び前記二重用途のハンドルカバーリフィルカートリッジへの回収を駆動することを特徴とするディスペンサ。
【請求項１３】
請求項１に記載のディスペンサがさらに、前記材料が前記カートリッジの供給部から引き出されるときに、前記ハンドルカバー材料の測量及び測定の両方を行い、および／またはハンドルカバー材料を案内し、それぞれの使用後に、ハンドルカバー材料の適切な量が確実に前記ハンドルに提供されるようにし、前記リフィルカートリッジの消耗又は空であることを表示することが可能な器具を具えることを特徴とするディスペンサ。
【請求項１４】
ハンドルへハンドルカバー材料を供給及び回収する際に使用する二重用途のハンドルカバーカートリッジアセンブリにおいて、前記カートリッジが；
ハンドルへハンドルカバー材料を供給するための供給部と；
前記供給部に機能的に関連し、前記ハンドルから前記ハンドルカバー材料を回収するための巻き取り部とを具え；
前記ハンドルカバー材料は、前記供給部から供給されたときであって回収部によって回収される前に、消費者による使用中、少なくとも部分的に前記ハンドルを覆い、前記ハンドルの衛生的な完全性を促進し維持することを特徴とする二重用途のハンドルカバーカートリッジアセンブリ。
【請求項１５】
請求項１４に記載のカートリッジアセンブリがさらに、モータアセンブリに機能的に関連する駆動機構を具え、前記駆動機構は、前記供給部からの供給及び前記回収部への回収を駆動することを特徴とするカートリッジアセンブリ。
【請求項１６】
請求項１４に記載のカートリッジアセンブリがさらに、第２の巻き取り部を具え、第１及び第２の巻き取り部がそれぞれ、前記供給部によって前記ハンドルへ供給される前記ハンドルカバー材料の一部を回収することを特徴とするカートリッジアセンブリ。
【請求項１７】
請求項１４に記載のカートリッジアセンブリがさらに、前記供給部から繰り出す又は前記回収部から巻き取るハンドルカバー材料の総量又は分量を配分する測定機構を具えることを特徴とするカートリッジアセンブリ。
【請求項１８】
請求項１４に記載のカートリッジアセンブリにおいて、前記ハンドルカバー材料が、互いに連結する複数の別個のハンドルカバーを具えることを特徴とするカートリッジアセンブリ。
【請求項１９】
ロック可能なドアハンドルアセンブリに使用するためのドアハンドルカバーディスペンサアセンブリにおいて、前記ディスペンサアセンブリが：
ハウジングと；
前記ハウジングの内部に配置されたモータと；
前記ハウジングから延在するドアハンドルと；
前記ハウジングの内部に配置された二重用途のハンドルカバーリフィルカートリッジであって、前記モータと機能的に関連しており、ハンドルカバー材料を前記ハンドルへ供給及び前記ハンドルから回収の両方が可能であり、前記ハンドルカバー材料は、供給されるときに、少なくとも部分的に前記ハンドルを覆う二重用途のハンドルカバーリフィルカートリッジと；
前記ハウジングに連結されている第１のプレートと；
前記第１のプレートに連結されている第２のプレートであって、ドアに連結されている第２のプレートとを具え；
前記ディスペンサのハンドルが押される又は引っ張られるとき、前記ロック可能なドアハンドルアセンブリのロックを外すのに応じた手段で、前記ディスペンサが固定されたプレートに対して移動できるように、前記第１のプレートは前記第２のプレートに対してスライド可能なことを特徴とするドアハンドルカバーディスペンサアセンブリ。
【請求項２０】
請求項１９に記載のディスペンサアセンブリにおいて、
前記第１のプレートは、一連のインターロックタブ及び前記第１のプレートに連結され、前記第２のプレート内の溝に接続する止めスタッドを介して前記第２のプレートにスライド可能に連結されていることを特徴とするディスペンサアセンブリ。
【請求項２１】
ハンドルカバーディスペンサにおいて：
ハンドルと；
スプール状ハンドルカバー供給リールであって、かぶせる方法で前記ハンドルにハンドルカバー材料を供給する供給リールと；
スプール状ハンドルカバー巻き取りリールであって、前記ハンドルから前記ハンドルカバー材料を回収する巻き取りリールと；
モータアセンブリであって、前記巻き取りリールに機能的に関連しており、前記巻き取りリールの回転を駆動し、前記供給リールによって供給される前記ハンドルからのハンドルカバー材料の回収をもたらすモータアセンブリとを具えることを特徴とするハンドルカバーディスペンサ。
【請求項２２】
請求項２１に記載のハンドルカバーディスペンサにおいて、前記巻き取りリールは駆動歯車を具え、前記モータアセンブリは、前記巻き取りリールに機能的に関連しており、前記駆動歯車を介して前記巻き取りリールを駆動することを特徴とするハンドルカバーディスペンサ。
【請求項２３】
請求項２２に記載のハンドルカバーディスペンサにおいて、前記供給リールがさらに駆動歯車を具え、前記供給リールを前記巻き取りリールとして使用できることを特徴とするハンドルカバーディスペンサ。
【請求項２４】
請求項２３に記載のハンドルカバーディスペンサにおいて、前記ディスペンサはドアに固定可能であり、前記ハンドルはドアハンドルとして機能することができることを特徴とするハンドルカバーディスペンサ。
【請求項２５】
請求項２２に記載のハンドルカバーディスペンサにおいて、前記供給リールと前記巻き取りリールは交換可能であることを特徴とするハンドルカバーディスペンサ。
【請求項２６】
請求項１に記載のディスペンサにおいて、前記ハンドルカバー材料は、ハンドルを通過するときに、裏返しにされて、追加的な衛生を提供することを特徴とするディスペンサ。
【請求項２７】
請求項１に記載のハンドルカバーディスペンサにおいて、前記ディスペンサが、前記ハンドルの内部内へ好ましくない物質が入ることを少なくともほぼ無くすことができるレトロフィット又は安全機構とともに使用できることを特徴とするハンドルカバーディスペンサ。
【発明の詳細な説明】
【技術分野】
【０００１】
本発明は、被覆ハンドルに関し、さらに具体的には、自動方式で衛生的なハンドルカバーおよび／またはハンドルカバー材料を繰り出すための器具、アセンブリ、及び方法に関する。
【背景技術】
【０００２】
人々は、実質的に毎日、頻繁に触られる面に遭遇している。例えば、人々は、建物（例えば、家、オフィスビルなど）や部屋（例えば、浴室、カフェテリア）に出入りするときに、ハンドルを有する戸を通過する。多くの器具（例えば、カート、手押し車など）も、これらの使用を容易にするためにハンドルを具える。このような面は、汗や粘液など体液で汚れている。さらに、一般的な風邪などの病気（軽病及び重病の両方共）は手の接触を経験している。結果的に、多数の人々が、このように頻繁に接触される面に付随する実際におよび／または知覚される不衛生な状態に対して行動を順応させる。しかしながら、いくつかの場合には、回避するおよび／または行動を変えることができない。
【０００３】
例えばトイレにおいて、トイレやこのような所から出る乾いた又はきれいな手の人（人々が手を洗ったかどうか）は、部屋を出た最後の人が手を洗うか洗った手を乾かすかのいずれかをしないために、不衛生か少なくとも不衛生（例えば、濡れたハンドル）であるように感じるだけでドアを開けるためにドアのハンドルを握ることが煩わしいと感じる。従って、手を洗った人も洗わなかった人も両方とも、しばしば、何らかの面（例えば、ドアのハンドル）を触ることを避けようとする。しかしながら、人は、通常、トイレを出るときドアのハンドルに接触しなければならず、ドアのハンドルなどトイレの面を触ることはほとんど避けることができない。一部の場合、大きなトイレは、移動方向に押し開けられる入口と出口のドアが分かれている（いずれかの特定の移動方向にユーザから押すか引き離す）。これの種類のドアによって、人は、乾いた部分を選択して、押して出ることができる。それにもかかわらず、これらの場合においてでさえ、乾いた部分は衛生的ではないかもしれない。
【０００４】
サービスステーション、コーヒーショップ、オフィスビルなどにおいて一般的に見られる多くの小さなトイレは、取っ手を介して内側へ押して入り、内側へ引いて出る入口及び出口共通のドアを具える。他のトイレは、反対の方法で開く、すなわち、ユーザが出るためにドア部分および／またはハンドルを押さなければならないドアを具える。さらに、個人が、しばしば、ドアを開けるか閉める、同様にハンドル及びドアを（例えば、ラッチ及びバネ荷重のプッシュロックなどを介して）ロックするかロックを外すためにハンドルを握って回すことを必要とするハンドルを具えるトイレがある。このような場合、一般的に取っ手を回転させるか動かして、自動的にドアのロックを外す。ロック可能なドアをロックするおよび／またはロックを外すためのドアのハンドルの内部の部品は、当業者に公知である（従って、ここに詳細に記述しない）。
【０００５】
一般的に、トイレを出る多くの人は手を洗わない又はしっかり洗わないと言われている。さらに、ハンドルがある場所では、トイレを出る全て又はほぼ全ての人がハンドルに触る。一部の人は、このような公衆のトイレで使用する手袋、ハンカチ、又は同種の物を持ち歩いている。一部の人は、ドアのハンドルを覆うために用いる追加の紙タオルを使用する。その他の人は、使用前にドアのハンドルに使用する又は使用後に手に使うスプレーや液体を持ち運んでいる。これらの技術は、公衆トイレ又は知覚されるハンドルの衛生状態を改良することを目的としている。しかしながら、これらは、効果的に「症状を処理する」のであり、問題を解決するのではなく不経済で高価であり、さらなる乱雑さを引き起こすので、これらは非効率てきである。おそらく、このような技術は、かなりその場限りであり、これ自体、この解決方法からはドアを使用する全ての人が利益を得るのではない。
【０００６】
使用中、ハンドル（例えば、ドアのハンドル）を覆うことは、人がハンドルを触ることを防止する有効な方法である。しかしながら、ハンドルとの接触を避けるおよび／または衛生的なハンドルに触る従来の器具（例えば、ＵＶ機構、フットレバー、アームレバーなど）及び手段は、ａ）高価および／または複雑な設備、ディスペンサ、及びリフィル；ｂ）動かない及び壊れるなどドアハンドルカバーを繰り出す際の機械的な問題；ｃ）維持管理の多さ；ｄ）補充を必要要とする前の衛生的に使用するための固定された（可変であることとは対照的に）、比較的少ない数又は低い能力；ｅ）特定の規制上の要件に適合していない；ｆ）使用が難しい；ｇ）解決方法が衛生的な使用を提示していることが明らかではない、ことを含む多くの問題によって特徴付けられる。触ることを要しない自動ドアは、一般的に、実施し維持することが高価な別の選択物である。さらに、このドアは、かなり及び時々、固有の空間条件を必要とし、遅い動作によって特徴付けられる携行にある。
【０００７】
一般的に、従来の解決方法は、扱いにくく、費用がかかり、非実用的で、および／または効率的ではない。従って、前述の代替物の欠点を有することなく、例えば、トイレを含む部屋を出るために使用するドアの衛生的で乾いたハンドル面を維持する機構を提供することが望ましい。さらに、実用的、簡単な取付（例えば、器具をドアなどの構造に何らかの態様で固定できる）、効率的、及び費用効率の高い手段において前述の問題を解決する、衛生的にしてそうでなければユーザのためにハンドルの清潔さを維持する自動化した手段を提供することが望ましい。さらに、上述したようにロック可能なドアを使用するために好適な自動化された態様で衛生的なハンドルを達成および／または維持する器具及び方法を提供することが望ましい。
【発明の開示】
【課題を解決するための手段】
【０００８】
本発明の一実施例において、ハンドルカバーディスペンサがここに開示されている。ディスペンサは、ハウジングと、前記ハウジングの内部に配置されたモータと、前記ハウジングから延在するハンドルと、前記ハウジングの内部に配置された二重用途のハンドルカバーリフィルカートリッジとを具える。前記二重用途のハンドルカバーリフィルカートリッジは、前記モータと機能的に関連している。前記二重用途のハンドルカバーリフィルカートリッジは、ハンドルカバー材料を前記ハンドルへ供給及び前記ハンドルから回収の両方が可能であり、前記ハンドルカバー材料は、供給されるときに、少なくとも部分的に前記ハンドルを覆う。
【０００９】
これらの及び他の重要な特性、特徴、及び本発明の目的は、以下の本発明の実施例の記述から明らかになりうる。
【００１０】
本発明の実施例は、添付した図面を参照して開示されており、説明のみを目的としている。本発明は、図に示した部品の構造や配置の詳細への使用に限定されるものではない。本発明は、他の実施例又は、他の様々な方法で行われるもしくは実行されることができる。同じ参照符号は、同じ部品を示すために用いている。
【発明を実施するための最良の形態】
【００１１】
図１及び２は、本発明の少なくとも一の実施例に従ったハンドルカバーディスペンサ２の斜視図である。ディスペンサ２は、符号４で示されるハウジングを具える。ハウジング４は、複数のハンドルカバーを繰り出すために使用される構成部品を含むディスペンサ２の内部の電子機器の部品を覆っており、同様に、ハウジングはハンドルカバー（図示せず）を収容している。「ハンドル」という言葉をここに使用するとき、人の手で把持される、触れられる、又は動作されるように構成された部品を含む。本発明の少なくともいくつかの実施例は、ドア以外（例えば、食料品店のカートなど）への使用に適用できるので、ハンドルという言葉は広く使われる。さらに、ドアに関連して、ハンドルという言葉は、ドアのハンドル、ドアのアーマチャ、ドアノブ、及び同種のものを具えるドアを開閉するために使用できる何らかの器具を含む。さらに、ここ（クレームを含む）に使用される「ハンドル」という言葉は、必ずではないが、ハンドル部分、ハンドルオーバーレイ、ハンドルのコア、及び同種の物などを含む存在する様々なハンドル及びハンドルのような構成部品を含む。
【００１２】
図１及び２をさらに参照すると、ハウジング４は、メインハウジング部分６と、通常、ヒンジ（図示せず）を介してメインハウジング部分に対して開く第２のハウジング部分８とを具える。ハンドル１０が第２のハウジング部分から突き出している。ハンドル１０はさらに、ハンドルカバーを通すことができる溝１１を具えており、詳細は後述する。メインハウジング部分６はさらに、第１の部分１２と、第１の部分に隣接して配置された第２の部分１４とを具える。一般的に、ハウジングは、内部の自動ハンドルカバーのディスペンサ器具の構成部品（図１及び２に図示せず）を美的に美しい形で有効に覆い、収容するように作られている形状を有する。図示するように、例えば、第１のメインハウジング部分１２は湾曲を有する。ハウジング４の形状は本発明の意図及び範囲から外れることなく便利に変えられ、本発明は何らかの特定のハウジング（又はハウジング部分、部品）の形状によって制限されないことは、当業者に自明である。また、開口１５が図示されており、これは、ハウジング内に収容されている複数の光源（例えば、発行ダイオード又は「ＬＥＤｓ」）（図示せず）によってもたらされる光が見えるように具えられている。ロック１６は、ディスペンサ２が使用可能な状態である場合に、固定様式でメインハウジング部分６に対して第２のハウジング部分８を固定するために具えられている。また、ＩＲロケーション又はウィンドウ１３が具えられている。短波又は長波の物体検出ＩＲ（長波／短波及び高／低周波数）および／またはキャパシタンス検知を用いて、ハンドルカバー材料を自動的に前進させることができる。ＬＥＤ’ｓ及びＩＲは、ウィンドウの下及びハンドルの後ろに配置できる。従って、ウィンドウは効果を確実にするような大きさと角度にすることができる。
【００１３】
自動ハンドルカバーディスペンサ２は、一般的に、ドア又は他の適切な構造物、例えばドア（図示せず）に（直接又は間接的に）連結されており、本発明のディスペンサのこれら及びその他の実施例は、何らかの様々の異なる方法で構成することができると理解されるべきである。例えば、図１を参照すると、ディスペンサは、ハンドル１０が一方向（例えば垂直）にディスペンサハウジング４から延在するように方向付けられており、図２を参照すると、ディスペンサ２は、ハンドル１０が、図１に示した方向に対して約９０度の方向にディスペンサハウジング４から延在するように方向付けられている。さらに、本発明のこれら及び他の実施例において、所望される場合、ディスペンサは左手又は右手で使用するよう構成することができる。このように、この最終的な構成（例えばドアに取り付けられるとき）におけるディスペンサの相対方向は、一例として、最終使用アプリケーションや対象とする使用者などを含む様々なパラメータに基づいて選択される。さらに、この最終的な構成における器具の方向は、便利に変えることができ、様々な実施例に対してここに示された方向は、説明のために選択されたと理解されるべきである。このように、本発明は、何らかの特定の最終使用の方向に限定されるべきではない。
【００１４】
本発明のハンドルカバー材料は、一般的に、連続的な材料のスリーブ又は袋、一続きのスリーブもしくは袋、又は複数の連結されて個々のハンドルカバーの形をとり、プラスチックやプラスチックのような材料で作られる。「ハンドルカバー材料」という言葉は、ハンドルに使用する好適なハンドルカバーのタイプを一般的に記述するためにここに使用されている。しかしながら、この言葉は限定する意味で使用されるべきではない。例えば、個々のハンドルカバーが設けられ、これらは、分離しているがさらにハンドルカバーに連結されている。本発明において使用するこの種のハンドルカバーの材料は、オーバーレイ方法で、ディスペンサハンドル（又はハンドルオーバーレイ）を一般的に囲み又は実質的に囲み、これは、使用できるようにディスペンサが配置されている場合、最終使用のハンドル（例えば、ドアハンドル）として機能することができる。ハンドルカバー材料は、一般的に、ハンドルの大きさ及び形状に適合するか模倣した大きさ及び形状である。さらに、様々なハンドルカバー材料の種類、大きさ、及び全体の幾何学形状が、ここの記述を越えて本発明の範囲内で意図される。従って、本発明は何らかの特定のハンドルカバー材料に限定されると考えられるべきではない。本発明の実施例において、低密度から高密度までのポリエチレンプラスチック材料を使用でき、この材料はここに例示として示されており、限定するものではない。さらに、少なくともいくつかの実施例において、ハンドルカバー材料は、静電気処理を行って（又は行わないで）、様々なロゴ、色などを印刷してもよい。
【００１５】
図３及び４は、ディスペンサの様々な内部の部品を観察するために、ハウジング６（点線で示す）が取り外された状態のディスペンサ２のそれぞれ正面図及び背面図を示す。ハンドル１０は、溝１１を具えて示されている（図３）。ハンドル１０は、符号２０で示されているハンドルカバーリフィルカートリッジに対して動作可能に連結して配置されている。図示するように、カートリッジは、ハンドルカバー材料の供給及び巻き取りの両方が可能な「二重用途のハンドルカバーリフィルカートリッジ」であり、対照的に、例えば、供給および／または巻き取るために２つの個別のカートリッジ（図３５乃至３６を参照）を具えることができる。カートリッジのこの態様はさらに、図６に関連して示されている。使用時に、ディスペンサ２は、一般的に、平坦な又はほぼ平坦な面を具える（ディスペンサはこの面に取り付けられる）構造物に取り付けられているか別の方法で固定される。
【００１６】
図示するように、二重用途のドアハンドルカバーカットリッジ２０は、軸２２を中心に第１の方向（例えば右回り）に回転して、衛生的なハンドルカバー（図示せず）を繰り出し、これらが使用される（一般的に汚れる）と、第２の回転方向（例えば左回り）でこのカバーを巻き取る、回収する、又は巻き戻す。カットリッジ２０が回転の中心とする軸２２は、構造物、より具体的にはディスペンサが取り付けられる構造物のほぼ平坦な面に対して一般的に平行な一方向に延在することに留意すべきである。ディスペンサ２は、さらに、符号２６で示される歯車列に連結されているモータ２４を具える（図３）。一般的に、ここに示されるこれら及び他の実施例において、モータは、ハンドルカバー材料が二重用途のドアハンドルカバーカットリッジ上又は内に巻かれる方法に少なくとも部分的に依存する一の回転方向（右回り又は左回り）に、カートリッジの回収部の回転を駆動する。ハンドルカバー材料は、供給部から引っ張られて回収部へ送られる。さらに、図３及び４を参照すると、本発明を使用するために好適な一の例示的なモータは、日本、中国、及び米国それぞれに在るＭａｂｕｃｈｉ Ｍｏｔｏｒ又はＪｏｈｎｓｏｎ Ｍｏｔｏｒによって提供されるモータなどのＤＣモータである。図示するように、モータ２４は、歯車列２６を介してウォーム歯車２８を駆動する（図３）。順に、ウォーム歯車２８を用いて、歯車列からの運動が、駆動歯車３０を介して二重用途のハンドルカバーリフィルカートリッジ２２に伝えられて回転を駆動する。本発明の範囲内で他の歯車や歯車列が意図され考慮される。複数のバッテリ３２ａ乃至ｃ（例えば、Ｃ、Ｄ、ＮｉＣａｄ、ＡＡなど）が図示されており、これらのバッテリを用いてモータ２４に動力を供給できる。また、バッテリを用いて、複数のインジケータＬＥＤ’ｓ３４に動力を供給できる。ＬＥＤ’ｓ３４は、例えば、衛生的なハンドルカバー材料（図示せず）が消耗している又は消耗に近いこと、電源、バッテリの低下、ハンドルカバーが使用済みか新しい衛生的なハンドルカバーであるかなどを示すために使用される。様々な固定手段を用いて、前述の部品をハウジング６内及びハウジング６へ固定的に取り付けることができる。例えば、クリップ３８ａ（図３）及び３８ｂ（図４）を用いて、二重用途のドアハンドルカバーカットリッジ２０をハウジング６（点線で示す）へ固定する。クリップ３８ａ及びｂは、カートリッジ２０をハウジング６へ挿入及び取り外しを容易にするために有用であり、カートリッジを取り付けるとカートリッジをしっかりと支持する。さらに、支持部４０を用いてハウジング６内の位置へモータ２４を固定する。
【００１７】
図３を参照すると本実施例において、ハンドルカバー材料（図示せず）を切るためにカッター３６（例えばブレード）が使用されている。カッター３６は、使用後に二重用途カートリッジにハンドルカバーの回収を容易にするためにハンドルに具えられ連結されている。本実施例において、ブレードはハンドルカバーの２箇所で切る。すなわち、ブレードは、ハンドルの前方（図示する）及びハンドルの後方（図示せず）に突き出している。ハンドル１０はドア（図示せず）を開くために使用するため、ハンドルは、一般的に、強固で頑丈な材料（例えば、鋳物、充填プラスチックなど）で作る。ロック１６が再び示されており、ロック１６はハウジングの内部への安全な接触を確実にし、所望の目的（例えば、二重用途のカートリッジの取り外しを可能にする）のための接触に限定するように用いられる。
【００１８】
図５を参照すると、ディスペンサ２の正面、部分拡大図が示されており、これはハウジング４内に収容された様々な部品を具えている。再び、二重用途のカートリッジ２０が図示されている。上述したように、ハウジング４はメインハウジング部分６と、第２のハウジング部分８とを具える。溝１１を具えるハンドル１０は、前述の部品（例えば、モータ、バッテリなど）を含む様々な内部の部品を収容するように構成された中央のハウジング支持部４２から延在する。カッター３６がハンドル１０から延在している。図示するように、第２のハウジング部分８は、ヒンジ９を中心に回動し、開いた位置になる。メインハウジング部分６は、第２の部分１４と一致し中央の支持部４２にかぶせる第１のカバー部分１２を具える。これらの部分は互いに分解した状態で図示されている。中央の支持構造４２は、ディスペンサ２の内部の部品のいくつかを支持して収容するように構成されている。例えば、バッテリ３２ａ乃至ｃが示されており、これらのバッテリは、ハンドルカバーを繰り出す動力を供給するために用いられ、既知の手段で固定されている。バッテリの数及びタイプは、器具の動力の必要性に応じて変えることができ、バッテリの方向や数を変えることができる。開口１５は、ハウジング内に収容され支持構造４２に固定されているインジケータの光１７（例えば、発行ダイオード又は「ＬＥＤｓ」）が見えるように具えられているが、適切な場所に変えることができる。
【００１９】
二重用途のハンドルカバーカットリッジ２０は、ハウジング４の内部に挿入されてクリップ３８ａ及びｂを介して固定されるように構成されており、この取付が波線４４ａ乃至ｂで示されている。ハンドルカバー材料４６は、波線によって図示するように、カートリッジの中央部分を取り巻いて、この内側に収容され、ここから延在する。ハンドルカバー材料は、図示するように、ハンドル１０にかぶせるように構成された連続的なスリーブから構成されている。より具体的には、ハンドルカバー材料４６は、波線４８で示されるように、ハンドル１０の中央部分内に配置され、矢印５０で示されるようにここを通過する。ロック１６は、メインハウジング部分６に対して第２のハウジング部分８を固定するために具えられている。このロックは、一般的に利用可能な器具（例えば、ねじ回しなど）を使用して開けることができるロックと対照的に、キー仕様にすることができ、この特性は、カスタマー仕様にできる（すなわち、カスタマごとに変えることができる）。不正に変更されたり盗まれることを考慮しない場合、ロックは、ロックできない固定手段、例えば摩擦タブに置き換えることができる。
【００２０】
図６は、カートリッジが、使用（すなわち、ハンドルカバーを繰り出すおよび／または巻き取る）時にカートリッジの回転の中心となる回転軸２２に沿って分解して示された状態で、本発明の一態様に従った二重用途のハンドルカバーリフィルカートリッジ２０の分解図である。カートリッジは、カートリッジハウジング内に収容できるが、このハウジングは説明を簡単にするために取り外されていると理解されるべきである。二重用途のハンドルカバーリフィルカートリッジは一対の端部キャップ５２、５４を具えており、各端部キャップは、複数の同じ又はほぼ同じスタート溝５６、５８をそれぞれ具えている。スタート溝５６、５８を使用して、使用後にハンドルカバーを回収および／または巻き戻しを容易にする（図７に示す）。二重用途のハンドルカバーリフィルカートリッジ２０はさらに、駆動歯車３０を具えており、これは前述したように、歯３１を介してウォーム歯車２８（図３）によって駆動され、カートリッジ（組み立てられている）を軸２２を中心に回転させる。二重用途のドアハンドルカバーカートリッジ２０はさらに、上述したように、使用中に自動的に繰り出す（又は巻き取る）ようハンドルカバー材料の総量又は分量を測定するために使用する複数のノッチ６２を有する測定プレート６０を具える。測定プレートは、後述するスイッチと連動させて使用する。スプール６４を使用して、ハンドルカバー材料６７（点線で図示）を収容し供給する。ハンドルカバー材料６７の大きさ及び形状は変えることができる。例えば、ハンドルカバー材料６７は、カートリッジ２０及びディスペンサ１４の大きさを小さくするよう平らに巻いたり半分に折り重ねることができる。
【００２１】
さらに図６を参照すると、二重用途のハンドルカバーリフィルカートリッジ２０、端部キャップ５２は、駆動歯車拡大部分６８に連結する又は接続する拡大部６６ａを具えるスプール部分６６を具える。駆動歯車拡大部分６８はスプール６４に接続して、順に、端部キャップ５４のスプール部分７０の拡大部７０ａに接続する。拡大部７０ａは、軸２２に沿って測定プレート６０を通ってこの接続を達成する。組立は既知の手段（例えば、スナップ式）で成される。この方法において、スプール６４は、駆動歯車３０及び測定プレート６０に連結されて、ハンドルカバー６７を供給し符号７２で示されるカートリッジ供給部を形成する。さらに、端部キャップスプール部分６６は、端部キャップ５２と駆動歯車３０を両側に連結し、第１のカートリッジ巻き取り又は回収部７４を形成する。同様に、端部キャップスプール部分７０は、端部キャップ５４と測定プレート６０を両側に連結し、第２のカートリッジ巻き取り又は回収部７６を形成する。第１及び第２のカートリッジ巻き取り又は回収部７４、７６は、使用された又は汚れたハンドルカバー材料を巻き取る。二重用途のハンドルカバーリフィルカートリッジ２０は、「二重用途」と呼ぶことができる供給部７２と、少なくとも一の（しかし、本実施例では、２つを具えるように図示している）巻き取り部７４及び７６とを具えておりるので、「二重用途」又は「多機能」と呼ばれる。一実施例において、中央スプール６４は、外径約２”にすることができ、駆動歯車３０は外径（一の外側の歯から反対の外側の歯まで）約１２”にすることができる。しかしながら、二重用途のドアハンドルカバーカートリッジは便利な大きさにできると理解されるべきである。
【００２２】
図４に戻って、二重用途のハンドルカバーリフィルカートリッジ２０は、符号７２で示される供給部と、符号７４及び７６それぞれで示される対の回収部とを具え、組み立てた形で示されている。図示するように、ディスペンサ２はさらにスイッチ７８を具えており、これは、二重用途のハンドルカバーリフィルカートリッジ２０の測定プレート６０と機械的に連結して、ディスペンサの使用（すなわち、ドアハンドルカバーの繰り出しおよび／または回収）中にドアハンドルカバー（図示せず）を測定し、計算を行う。より具体的には、スイッチ７８は、測定プレート６０の測定ノッチ６２（通常は一回につき一つ）と接触するタブ７９を具える。この方法において、スイッチはカートリッジと連動して動作し、ユーザがこの器具を使用した後に繰り出すためにハンドルカバーの適切な量又は数を測定する。また、スイッチは、これが繰り出されたハンドルカバー材料の全体の量又は長さを観察できるように機能する。カートリッジが空又はほとんど空になったとき（すなわち、カートリッジの供給部７２がハンドルカバーを消耗する又はほとんど消耗したとき）に、適切な印（例えば、前述のＬＥＤ’ｓの照明又はハンドルカバーの末端の最後の特定の量に異なる色のハンドルカバーを使用すること）を提供することができる。カートリッジが消耗する又は空になることは、例えば、光学スイッチ、キャパシタンス、および同種の物などを使用して検出することができる。また、測定プレートのノッチ６２は、ドアハンドルカバーカートリッジ２０の動きを観察し、特に、ノッチをスイッチに接触するように使用して、この機能を達成する。ここに図示した電子機器のスイッチ７８以外のスイッチ（例えば、赤外線、キャパシタンス、光学、磁力など）を使用して、機能性を観察および／または測定を達成することは、本発明の範囲内で考慮される。
【００２３】
再び、図５を参照すると、ディスペンサ２は、ハウジング４内に収容された、より正確には、中央ハウジング支持部分４２内に配置された様々な電子装置を具える。前述したように、ＬＥＤ’ｓ１７は、例えば、電源のオン／オフ、バッテリパワーの低状態、ハンドルカバーが使用済みか新しいか、二重用途のハンドルカバーリフィルカートリッジ２０が詰め替え又は補充する必要があること（すなわち、全て又はほぼ全てのハンドルカバー材料が繰り出された）、及び同様のことなどの信号を含む。さらに、図に関連してここに記述した本発明のこれら及び他の実施例において、ディスペンサはさらに、ＬＥＤ’ｓ、スイッチ、ボタン、及びその他の検出電子装置を組み込んでいるプリント回路基板（「ＰＣＢ」）を具える。この電子装置及び回路は、当業者に公知であり、本発明の範囲から外れることなく変更することができる。
【００２４】
上述した実施例を含むここに記述した実施例に関して、二重用途のハンドルカバーリフィルカートリッジの巻き取り又は回収部（又は複数の回収部）は、一般的に、歯車列又はアセンブリ（例えば、ウォーム又は標準歯車を介して）によって駆動される。すなわち、二重用途のハンドルカバーリフィルカートリッジの供給又は送り出し部分は、一般的に駆動されない。例えば、図６を参照すると、ハンドルカバー材料の連続的な材料を収容し供給するために使用するスプール又はコアは、固定された関係になく、従って、歯車列によって駆動しない。別の言い方をすると、巻き取り又は回収部は供給部から袋を引っ張るように機能する。さらに他の構成が本発明の範囲内で考慮される。
【００２５】
図７は、ハンドルカバー材料６７（点線で示す）を具える自動ハンドルカバーディスペンサ２の概略断面図である。ハンドルカバー材料６７を取り付けて、本発明の一態様に従って繰り出す状態である。より詳細には、二重用途のハンドルカバーリフィルカートリッジ２０は、ハウジング４内に取り付けられ、ディスペンサ２の第２のハウジング部分８内（又は部分的に第２のハウジング部分８内）に収容されて示されている。カートリッジ２０を再び示しており、前述したように、これは第１の供給部７２と、対の回収部７４及び７６とを具える。本発明のハンドルカバー材料６７は管状のスリーブのような材料であり、ディスペンサ２のハンドル１０などのハンドルにかぶせて使用するために連続供給される。
【００２６】
本発明の一態様に従って、ハンドルカバー材料６７の取付は以下の手段で達成される。ハンドルカバー材料６７が、カートリッジ２０の供給部７２から供給され（すなわち、伸ばす）、ハンドル１０の内部８０を介して送り出され、通過し、又は延在する（上方向に示す）。ハンドル１０のハンドル溝１１は、ハンドルを介してハウジング２の外部領域（図示するようにハンドルの外部と同じ）へこのような通過を実現する。ハンドル１０を介してこの上端部１３を通過する時に、材料は裏返しにされる。袋のような材料の内部をユーザに曝すことによって、ハンドル１０を使用するユーザにとって最高の衛生状態が確実になる。外側でハンドル１０を覆う状態になると、ハンドルカバー材料は、ディスペンサ２のハウジング４のハンドル部分８内へ戻される。続いて、一般的に知られるように、材料をカートリッジ２０の巻き取り部７４、７６に回収できるように、連続的な材料６７が、２点でハンドルカバー材料を切るカッターを通過する。ハンドルカバー６７は、ここでは器具内に取り付けられている。
【００２７】
本発明のこれら及びその他の実施例において、ディスペンサが使用される（すなわち、ハンドルカバー材料が取り付けられる）ときに、ユーザはディスペンサのハンドルを握ることができ、これによって、ハンドルを覆うハンドルカバー材料に接触して握ることができる。ディスペンサは、構造物（例えばドア）に連結される。ユーザは、（人が普通にするように）ハンドルを引き（又は押して）、最終目標（例えば、ドアを開けるなど）を達成する。ユーザは、達成すると、ハンドル及びハンドルカバー材料を放す。電子機器手段（例えば、赤外線、キャパシタンスなど）を使用する器具は、ハンドルカバー材料の所定の量を自動的に進ませる。この方法において、使用済みの又は汚れたハンドルカバー材料（ユーザによって触られた部分）が戻って、二重用途のハンドルカバーリフィルカートリッジの回収部へ回収され、さらなるハンドルカバー材料がカートリッジの供給部からハンドルへ供給される。このプロセスは、このような消耗が起こりそう又は起こったことを示す新しいハンドルカバー材料供給物が使い尽くされるまで繰り返される。新しいハンドルカバー材料供給物を使い切ったカートリッジ及び付随するカートリッジ部品は、取り外してリサイクルすることができ、実質的に新しいカートリッジに交換される。ハンドルカバー材料自体を、器具内の材料がほとんど消耗している時に色が変化するように、多数の色にし、販売目的用にロゴを使用するように構成することができる。
【００２８】
図８は、図７のライン８−８に沿ったディスペンサの断面図であり、取り付けられ使用状態にある連続的な材料のハンドルカバー材料６７を示している。ハンドル１０は、上述したように、ハンドルカバー材料６７の取付を容易にする溝１１を具える。しかしながら、分かるように、取り付けられると、ハンドルカバー材料は、完全にハンドル１０の内部８０内に収容される（もはや溝内ではない）。材料は、ハンドルの上部又は開いた端部（図７に示す）を通過し、この通過部分はハンドルの外側を覆った関係になる。図示するように、本実施例において、カッター３６（図示するように一対の切断ブレードから構成される）は、ハンドルカバー材料が露出しているハンドル１０を通った後に、ハンドルカバー材料を切るために具えられている。カッター３６は、前述したように、リフィルカートリッジを介してハンドルカバーの巻き取り又は回収を容易にする。
【００２９】
図９は、本発明の一態様に従った自動ハンドルカバーディスペンサ８０の別の実施例の斜視図であり、図１０は、図９の自動ハンドルカバーディスペンサの部分的な分解図である。図１０はさらに、本実施例及び本発明の一態様に従って使用するための二重用途のハンドルカバーリフィルカートリッジ８２を示している。
【００３０】
図９乃至１０を参照すると、ディスペンサ８０は、符号８４で示されるハウジングを具える。ハウジング８４は、ハンドルカバー材料を自動的に繰り出すための構成部品を含むディスペンサ８０の内部の電子機器の構成部品及びハンドルカバー材料自体（図示せず）を収容する又は覆っている。ハウジング８４は、メインハウジング部分８６と、第２のハウジング部分８８とを具える。第２のハウジング部分８８は、ヒンジ９０を中心に回動しハウジング８４を開いて、この内部に接触することができる。メインハウジング部分８６はさらに、第１の部分９２と、第１の部分に隣接して配置された第２の部分９４とを具える。二重用途のハンドルカバーリフィルカートリッジ８２は、ディスペンサ８０のハウジング８４、より具体的にはメインハウジングの第２の部分９４内に受けられる大きさと形状を有するハウジング８３（図１０）を具える。上述したように一般的に、ディスペンサハウジング８４（同様にカートリッジハウジング８３）は、内部の自動ハンドルカバーのディスペンサ器具の構成部品を美的に美しい形で効果的に覆い、収容するように作られている形状であり、ハウジング８４の形状は本発明の意図及び範囲から外れることなく便利に変えられ、本発明は、何らかの特定のハウジング（又はハウジング部分、部品）の形状によって制限されないことは、当業者に自明である。また、上述のように（例えば、発行ダイオード又は「ＬＥＤｓ」）、インジケータの光が見えるように具えられている開口９５が図示されており、このインジケータの光を使用して、例えば、電源のオン／オフ、及びハンドルカバー材料の消耗又は器具の「低パワー」状態を示す。ロック９６（図９では外的、図１０では内的に見ることができる）は、ディスペンサ８０が使用可能な状態である場合に、固定様式でメインハウジング部分８６に対して第２のハウジング部分８８を固定するために具えられている。
【００３１】
自動ハンドルカバーディスペンサ８０は、一般的に、ドア又は他の適切な支持基材もしくは構造物に（直接又は間接的に）連結されており、ディスペンサは、上述のようにユーザの便利さや必要性によって変えられる方法で構成することができると理解されるべきである。本実施例に図示されているように、ハンドルカバーリフィルカートリッジ８２は、器具８０が固定されている構造物（例えばドア）に対しある角度を付けている軸９８を中心に方向付けられる。一の好適な実施例において、軸９８は、この基材、面、又は構造物に対してほぼ垂直（前述の実施例では平行又はほぼ平行に図示されていることとは対照的に）に方向付けられている。リフィルカートリッジ駆動歯車９７が、ディスペンサハウジング８４内に収容されており、これを用いて、リフィルカートリッジからリフィルカートリッジへ（ハウジングの内部に配置されているとき）ハンドルカバー材料（図示せず）の繰り出し及び巻き取りを駆動する。本実施例において、駆動歯車９７は、リフィルカートリッジ８２と別個の部品ではなく機能的に関連することを意図している。図示するように、リフィルカートリッジが取り外されるおよび／または取り付けられているときに（例えば、ハンドルカバーの消耗後の交換の間）、歯車をディスペンサハウジング８４内に固定されたままにすることができる。
【００３２】
図１０を参照すると、ディスペンサ８０は、さらに、ハウジング８４に連結されている恒久的、ほぼ恒久的、又は半恒久的なハンドルコア１００（図１０）を具える。ハンドルコア１００は、二重用途のハンドルカバーリフィルカートリッジ８２から（ここに戻って）繰り出されるハンドルカバー材料１０４（図１０に点線で示す）を介するハンドルオーバーレイ１０２を受ける。オーバーレイ１０２は、高価ではないが耐久性のある材料（例えば、プラスチック）で作られ、ハンドルコア１００は、より弾性及び強度のある材料（例えば、充填プラスチック、金属）で作られることが考慮される。この方法では、ハンドルコア１００は、ユーザが使用する際（ユーザは、一般的に、ハンドルコア１００だけを握る又はほぼ握る）、ハンドルオーバーレイ１０２を保護し、これに対する（従って壊することを最小限にするか無くす）構造を提供するように機能することができる。「ハンドルオーバーレイ」は、「ハンドルキャップ」又は「ハンドル保護カバー」と言うこともできる。
【００３３】
図１１は、図９の自動ハンドルカバーディスペンサ８０の部分的分解図であり、ディスペンサ、より具体的にはハウジング部分８８が開いた位置で示されている。二重用途のハンドルカバーリフィルカートリッジ８２は、ディスペンサ８０内へ挿入して示されており、特に、ハウジング８４内に配置されて示されている。ハンドルコア１００が、ハウジング８４から延在する又は突き出して図示されている。自動ハンドルカバーディスペンサが使用状態にある場合、ハンドルカバー材料１０４（点線で図示）は、ハンドルカバーリフィルカートリッジ８２から繰り出され、図示するように、ハンドルオーバーレイ１０２を通過する。図示される、本発明の少なくとも一態様に従って、ハンドルオーバーレイ１０２は、波線１０３によって図示するように、ハウジング８４、より具体的にはハンドルコア１００に対し配置され固定される。従って、取り付けられた状態では、ハンドルカバー材料は、図示するようにカートリッジ８２（以下に参照するように、巻き取り又は回収部に対応する）の正面部分へ引き出され、二重用途のハンドルカバーリフィルカートリッジの正面カバー８４は閉じている（例えば、スナップ式）。この方法において、ハンドルは固定され、ユーザが使用できる状態である。好適な実施例において、ハンドルオーバーレイ１０２は、２つの部品間の固定的な一致を実現するように、ハンドルコア１００の形状と似た形状である。本実施例のハンドルカバー材料１０４はまた、一般的に、プラスチックやプラスチックなどの材料で作られるスリーブ又は袋の形をとるが、本発明はこのハンドルカバーの特定の型や種類に限定されるべきではない。
【００３４】
図１２は、ハンドルカバー材料の繰り出しおよび／または巻き取りをリフィルカートリッジ８２からリフィルカートリッジ８２へ駆動するために使用する駆動歯車９７と共に、図９乃至１１に示したディスペンサ８０の実施例で使用するハンドルカバーリフィルカートリッジ８２の拡大した部分図である。図１１乃至１２を参照すると、二重用途のハンドルカバーリフィルカートリッジは、カートリッジハウジング８３及びカートリッジハウジング８３から延在しハンドルオーバーレイ１０２を受けるハンドルカバー拡大部１０６を具える（図１１）。ハンドルカバー拡大部１０６は、さらに、ハンドルカバー材料（スリーブ又は袋の連続的な材料の形をとるようにしてもよい）が動かなくなる又は引っかかることを防ぐ又はほぼ防ぐ形式で、ハンドルカバー材料１０４（図１１）をカートリッジ８２からハンドルオーバーレイ１０２（図１１）内へ案内するように機能する。駆動歯車９７は、カートリッジ８２に一致して、ノッチ１０８及び１１０のそれぞれと一致する対応する駆動歯車及びカートリッジを介してハンドルカバー材料の供給及び巻き取りを達成することを意図している。本実施例の駆動歯車９７は、リフィルカートリッジと機能的に関連することが重要である。
【００３５】
図１３は、図９乃至１１に示したディスペンサ８０の部分的な概略断面図であり、ハンドルカバーカートリッジ８２が取り付けられ、使用状態にあるおよび／または使用中であるように示されている。図１５は、図１３のディスペンサ８０の一部の背面斜視図であり、ディスペンサの様々な内部の部品をさらに説明するためにハウジング（及びカートリッジカバー）を取り除いた状態である。図１３及び図１５を参照すると、ディスペンサ８２は例えば、ねじや他の留め具１１２（点線で図示）を介して支持構造１１４に固定されている。ハンドルカバー材料１０４（点線で図示）はディスペンサ８０内に収容されている。ハンドルカバー材料１０４は、二重用途のハンドルカバーカートリッジ供給部１１６から供給され、図１１に関して上述したように、ハンドルカバー材料は、ハンドルカバー拡大部１０６を介してハンドルオーバーレイ１０２へ及びここを通って、従ってハンドルオーバーレイにわたってこの周囲に延在する。図１３に最良に示すように、ハンドルカバー材料は連続的なスリーブから構成される。ハンドルオーバーレイ１０２及びディスペンサハウジング８０の外側では（すなわち、ハンドルオーバーレイの上端部又は近く）、ハンドルオーバーレイ及びハンドルコアに関して衛生的な面（上述するように）を提供するように材料は裏返しにされて、覆う形式で延在する。
【００３６】
さらに図１３及び図１５を参照すると、ハンドルカバー材料１０４は延在して、ディスペンサハウジング８０内部へ戻り、ここで、カッター１１８（例えばブレード）上を通って、ハンドルカバーカートリッジ８２内に配置されたハンドルカバーカートリッジ巻き取り又は回収部１２０へ進む。ハンドルカバー材料を切ることによって、使用済み及び潜在的に汚れているハンドルカバー材料の回収を容易にする。好適な実施例において、カッターは上述のようにブレードから構成できる。二重用途のハンドルカバーカートリッジ供給及び巻き取り部１１６、１２０は、この周囲にハンドルカバー１０４を伸ばす及び巻く供給及び巻き取りスプール１２２、１２４を具える。駆動歯車９７を再び、図示している。駆動歯車９７は、ハンドルカバーカートリッジ８２、より具体的には、供給及び巻き取りスプール１２２、１２４と機能的に関連しており、カートリッジからハンドルカバー材料１０４の自動供給と、カートリッジへの使用済みのハンドルカバー１０４の自動回収を行う。駆動歯車９７は、符号１２８で示される歯車列を介した上述の方法と類似又は同じようにモータアセンブリ１２６によって駆動される。上述したウォーム歯車はもはや必要ないことに留意する。これによって、支持基材又は構造物１１４に対しハンドルカバーカートリッジ８２が方向付けられる。より具体的には、図１０に関連して記述したように、ハンドルカバー材料１０４の供給及び巻き取り（すなわち、伸ばす及び巻く）はそれぞれ、構造物１１４に対して垂直の（又はほぼ垂直の）軸に沿って起こる。二重用途のハンドルカバーカートリッジは、ハンドルカバーの供給と回収の両方を達成する又は適応することができるので、「二重用途」ハンドルカバーカートリッジと言うことができることが分かる。上述のように、本発明の自動ハンドルカバーディスペンサ８０の電子制御をもたらし電力を供給する電子機器の構成部品には、一般的に知られている部品（例えば、バッテリ、ＰＣＢ、ＬＥＤ’ｓ、ＩＲセンサ）がある。このような部品は、一般的にハウジング８０の内部空間１３６（図１３）内に配置されている。
【００３７】
図１４は、本発明の少なくとも一態様に従った図９の自動ハンドルカバーディスペンサ８０のためのハンドルオーバーレイ１０２の一実施例の拡大斜視図である。分かるように、ハンドルオーバーレイ１０２は、ユーザが握りやすく、ハンドルカバーの通過を最適にする外形に作られ、さらに、ハンドルオーバーレイは、一般的に管状でありほぼ楕円形断面の上端部を具えているが、この形状は便利に変えることができると理解されるべきである。さらに、ハンドルオーバーレイ１０２の外部は、模様を付けた（例えば、リッジ）領域と、模様の付いていない領域、１３０ａ及びｂそれぞれを具えており、これらの領域は、ハンドルカバー材料（図１１参照）のハンドル上及び周りの滑らかな動きを（例えば摩擦及び静止力を小さくすることによって）容易にする。図１３に関して記述したように、ハンドルオーバーレイ１０２は、使用後及びカートリッジ内の巻き取りスプールによる回収の前にハンドルカバー材料を切るためにさらに一対のカッター（例えば切断ブレード）１１８を具える。本実施例において、ハンドルオーバーレイ１０２は、取り替え可能および／または再生可能であり、より恒久的で又は半恒久的なハンドルコア１００（図１１）と比較して一般的に丈夫ではない又は耐久性のない材料で作られる。ディスペンサ８０はさらに、ハンドル近くに配置されたセンサ（例えば、波、赤外線センサ、又はキャパシタンス）を具えて、使用後に動きに反応してハンドルカバー材料の動きを引き起こし（すなわち、自動的に進ませる）、この特性は、様々な他の図にも示されている。
【００３８】
一般的に、本発明の上述の及び他の実施例において、一又はそれ以上の対象物検知センサ（例えば、赤外線、動き、又はキャパシタンスセンサ）及び他の器具は、ハンドルカバー材料を進ませるように用いることができる。この技術は、特定の環境に対する特定の必要性を最適化するよう多くのＩＲ領域（例えば、検出距離）及びパルス率（サンプル検出）でプログラムできる。さらに、この器具は、ユーザがＩＲ領域を出た後だけにＩＲがハンドルカバー材料を進ませる（使用後にカバー材料の自動前進を起こす）ようにプログラムでき、又は代替的に、ユーザが、ハンドルを使用する前に、一定の所定（及び選択可能な）時間（一般的に、業界では「波」と呼ぶ）ＩＲのビューにユーザの手を維持することによって、積極的に使用後カバー材料の自動前進を動作させるようにプログラムできる。これらの及び他のオプションは、プログラムでき、選択でき、従って便利に変えることができる。例えば、スイッチ（例えば、ディップスイッチ）を使用して、材料の前進に最適なプログラムを選択することができる。物体検出器具は、ハンドルカバー材料の自動検出を達成するために考慮される。他の器具及びこの器具に関連するプログラムは、ハンドルカバー材料の供給（例えば、材料の繰り出し）を観察及び／又は測定を実現および／または補助するものであるとここに開示されている。
【００３９】
図１６は、本発明の別の態様に従った自動ハンドルカバーディスペンサ１４０の別の実施例の斜視図である。ハンドルカバーディスペンサ１４０は、また、前述の実施例のハウジングと同様のハウジング１４２を具える。すなわち、ハウジング１４２は、メインハウジングカバー部分１４５及びメインハウジング第２の部分１４７を具えるメインハウジング部分１４４を具える。ハウジングはさらに、ヒンジ１４８を中心とする回転によって、開いて（内部に接触するように）閉じることができるカバー部分１４６を具える。閉じているとき、第２のカバー部分１４６はハウジングロック１５０を介してロックできる。ハンドルカバーリフィルカートリッジ１５２（点線で示す）は、ハウジング１４２内に収容されており、ハンドルカバー（図示せず）を供給し回収する。ここで再び、カートリッジは、「二重用途」のカートリッジと呼ぶことができる。カートリッジは、また「再生可能」及び「使い捨て可能」であるとして記述することもできる。ハンドルカバー材料は、ハンドルオーバーレイ１５４に供給される（従ってハンドルを囲む）。再び、ハウジングは、ディスペンサの内部部品とハンドルカバーを収容する大きさ及び形状であるが、本発明は、何らかの特定のハウジング構成に限定されないと理解される。
【００４０】
図１７乃至１８は、図１６の自動ハンドルカバーディスペンサ１４０の部分的な分解図であり、ハンドルカバーリフィルカートリッジ１５２及びハンドルオーバーレイ１５４を示す。図１９は、ディスペンサ１４０の拡大した部分断面図である。図１７において、二重用途のハンドルカバーリフィルカートリッジ１５２は、ハウジング１４２の外側に示されており、図１８、１９において、カートリッジはディスペンサハウジング内へ挿入して示されている。図１７乃至１８において、ハウジング１４２は、ロック可能なカバー部分１４６がメインハウジング部分１４４に対して開いた位置で示されており、図１９において、ロック可能なカバー部分はメインハウジング部分１４４に対して閉じた位置で示されている。ハンドルコア１５６はメインハウジング部分１４４から延在している。ハンドルコア１５６は、自動ディスペンサ１４０の使用および／または動作中、ハンドルオーバーレイ１５４を受けて固定できるようにハンドルオーバーレイ１５４と一致する大きさ及び形状である。他の実施例に関する上記記載のように、ハンドルカバー材料１５７は、連続的な（すなわち連結している）スリーブを具え、一般的に、再生可能であることが好ましいプラスチック材料から作られる。
【００４１】
図１７及び１９に最良に図示するように、駆動歯車１５８がハウジング１４２内に配置され固定されており、駆動歯車１５８を使用して、これが連結されているカートリッジスプール１６０（「軸」又は「カートリッジ軸」としても呼ばれる）を介して、二重用途のハンドルカバーリフィルカートリッジ１５２内のハンドルカバー材料１５７の巻き及び伸びを駆動し、ディスペンサの使用および／または動作中、ハンドルカバーを供給および／または回収する。二重用途のハンドルカバーリフィルカートリッジ１５２は供給部１６２を具えており、ハンドルカバー材料１５７はここから、図示するようにハンドルオーバーレイ１５４と、使用後ハンドルカバー材料がこの中へ回収される巻き取り又は回収部１６４とに供給される。
【００４２】
特に、図１９を参照すると、ディスペンサ１４０、より具体的にはハウジング１４２は、通常、平ら又はほぼ平らな取付構造物１７０（例えば、ドア）に固定されており、このような固定又は取付は、一般的に、既知で容易に入手可能な留め具（例えばねじ）を用いて達成される。モータアセンブリ１７４は、ハウジング１４４内に配置され、符号１７６で示される歯車列アセンブリを介して駆動歯車１５８を動かす。歯車列１７６は、スプール１６０を回転させて、ハンドルカバー材料１５７の適切な供給及び巻き取りを起こさせる。一又はそれ以上のバッテリ１７８は、モータアセンブリ１７４に動力を供給し、これらのバッテリは、図示するようにハウジング１４４内に固定される。スプール１６０（又は軸）は、取付構造物１７０に対してある角度の軸１８３を中心に回転し、好適な実施例において、軸は構造物に対して垂直であることが有益である。
【００４３】
図１７乃至１９を再び参照すると、ハンドルカバー材料１５７は後述するように取り付けられる。二重用途のカートリッジ１５２がディスペンサ１４０内に挿入される前に、ハンドルカバー材料は、カートリッジ１５２の供給部１６２内に巻かれているか提供されている。ハンドルカバー材料１５７は、初めに、ハンドルカバーリフィルカートリッジ１５２の供給部１６２からハンドルオーバーレイ１５４の内部へ引き出される。ハンドルカバー材料は、ハンドルオーバーレイ１５４の上部を越えて、ハンドルオーバーレイの外へ引っ張られ（上方向に図示）、これは、裏返す方法でハンドルオーバーレイを覆う。ハンドルカバー材料１５７は、カートリッジ１５２の回収部１６４へ引き込まれ、この中へ付随する（図２０に示すようにカッター１５３を介して適切に切られた後）。カートリッジ１５２は、軸又はスプール１６０上にディスペンサ１４０内に配置することができる。ハンドルカバー材料がハンドルコア１５６内へ案内又は挿入された後、ハンドルオーバーレイ１５４は、波線１６６によって示されるようにハンドルコア１５６上に滑り込ませるか、そうでなくともハンドルコア１５６内に配置される。ハンドルカバー材料１５７は、ハンドルを介してこの上端部を越えて進ませる又は引き出すことができるが、第１に、材料の何らかの緩みは、カートリッジスプール１６０の自動的な巻き又は伸びを介して取り除くことができる。ハンドルカバー材料は、ハンドルの大きさ及び形状にほぼ一致する。ここで、本実施例の様々な態様は、本発明の範囲から外れることなく便利に変えることができる。例えば、これらの及び他の実施例において、供給及び回収部の相対的な位置は、逆にするか交換することができる。
【００４４】
図示した他の部品に関し、上述したように、バッテリ１７８がＬＥＤ’ｓ１８０に動力を供給し、これを用いて、電源がオン／オフであるとき、ハンドルカバーが使用済み又は衛生的である（使用されていない）か、ハンドルカバー材料１５７が消耗又はほぼ消耗し、補充が必要であるかなど、様々な状態が識別される。また、赤外線センサ１８２（例えば、キャパシタンス、動き）が、ハンドルコア１５６近くに具えられ、ディスペンサの使用中、ハンドルカバー材料の自動的な前進が達成される。
【００４５】
一実施例において、駆動歯車は、対応するカートリッジハウジングの外形に一致する外形を具えることができる（例えば、外形の一方は、「雄型」であり、他方は「雌型である」）。この方法により、ディスペンサは、特定の及び／又は所望されるカートリッジのみが「リフィル」として確実に使用されることを「保障（securitized）」できる。さらに、特定の外形又は「キー形状」は、カスタマーに特定され、カスタマーごとにカスタマーによって変更可能である。例えば、図１９を参照すると、保障（保護）は、部分１６２の底部の雌型の外形（図示せず）をディスペンサ１４２の底部の雄型リブ（図示せず）に一致させて、パズルと同様の連結作用を作り出すことによって達成することができる。この発明は、何らかの特定の「保障」手段に限定されると解するべきではない。
【００４６】
図２２は、ディスペンサの使用および／または動作中、ハンドルオーバーレイ１５４がハンドルオーバーレイ上に滑り込ませたときのハンドルオーバーレイ１５６の近くに配置された回転を測量及び測定する器具１８４を示す図１９のライン２２−２２に沿った拡大図である。ハンドルカバー材料が、カートリッジ（図１７乃至１９）の供給部からハンドルオーバーレイ１５４及びハンドルコア１５６内へ引き出されるときに、測量及び測定器具１８４は、ハンドルカバー材料１５７（点線で図示）の案内に有用である。測量及び測定器具１５４は、器具の使用中、少なくとも１の検出装置、例えば磁気検出装置又は光学センサ（図示せず）及びハンドルカバー材料１５７の適切な量の測量および／または測定をするモータアセンブリ（図１９）と機能的に関連する。測量及び測定器具１８４は、繰り出されたハンドルカバーの総量を記録することによって走行距離計と同様の特性にすることができ、従って、新しい衛生的な使用のためにどのくらいハンドルカバー材料が進んだかを認識してカートリッジの供給部内のハンドルカバー１５７の供給物が交換および／または補充を必要とする時期を認識するように機能させることができる。測量及び測定器具１８４は、ローラシステムを具えているが、ハンドルカバー材料及びハンドルカバーの使用量の測定および／または測量を達成するために他の手段が本発明の範囲内で考慮されると理解されるべきである。
【００４７】
ここで図２０を参照すると、図１６及び本発明の少なくとも一態様に従った、自動ハンドルカバーディスペンサとともに使用されるハンドルオーバーレイ１５４の一実施例の拡大斜視図である。ハンドルオーバーレイは、ユーザによって把持しやすく、ハンドルカバーが通過できる形でできており、さらにハンドルは一般的に管状であるが、この形は便利に変えることができると理解されるべきである。ハンドルオーバーレイ１５４は、さらに、カッター１５３を具え、使用後、カートリッジ内の巻き取りスプールによる回収前にハンドルカバー材料を切断する。本実施例において、ハンドルオーバーレイ１５４は、取り替え可能および／または再生可能であり、より恒久的で又は半恒久的なハンドルコア１５６（図１７乃至１９）と比較して一般的に丈夫ではない又は耐久性のない材料で作られる。ハンドルオーバーレイはさらに、ディスペンサカバーが閉じているときに取り外すことができないようハンドルオーバーレイがハンドルコアに接続できる拡大部１５５を具える。図示するように、ハンドルコア１５６上に滑り込んで方向付けるようハンドルオーバーレイは１８０度回転しうる。
【００４８】
図２１は、本ディスペンサの実施例で使用する例えば、図１８に示された二重用途のハンドルカバーリフィルカートリッジ１５２の拡大図である。二重用途のハンドルカバーリフィルカートリッジ１５２は、内部を規定するハウジング１５１（取り外される部分）を具える。カートリッジは、ハンドルカバー材料（図示せず）をここから供給する供給部１６２と、使用後にハンドルカバー材料をこの中へ回収する巻き取り又は回収部１６４とを具える。スプール１６０は、上述したように駆動歯車と接続して、ハンドルカバー材料を供給及び回収する。ハウジング１５１、具体的に回収部１６２を連結している部分の形状は、さらなる手段でハンドルカバー材料の回収を容易にし、回収部内のスペースを最適にするように機能する。当然にこの形は変えることができ、この変化は本発明の範囲内で考慮される。
【００４９】
一般的に、ディスペンサの上述の実施例を参照して、ユーザはディスペンサを握ることができ、これは、一般的に強固なハンドルコア及び使い捨てのハンドルオーバーレイの形をしている。ディスペンサは、ドアなどの支持構造物に連結又は別の方法で固定されているとき、ハンドルによってユーザがドアを開くことができるようにしている。一又はそれ以上の検出技術を使用して、ユーザがハンドル（又はハンドルオーバーレイ）を開放した後にハンドルカバー材料の自動前進がもたらされる。また、ハンドルカバー材料は、一又はそれ以上のセンサを介して自動的に前進させることができ、ユーザの動き（例えば、手の動き）がこのセンサを作動させることができる。ハンドルカバーの前進は、モータアセンブリ自体がディスペンサ内に収容されているバッテリを動力とするモータアセンブリによって（一又はそれ以上のバッテリとともに）駆動される。センサ又はスイッチ技術がハンドルカバー材料の適切な繰り出しを測定および／または測量するために使用される。繰り出された（又は回収された）量は、１）ディスペンサ及びディスペンサ部品の大きさ、２）ハンドルカバー材料のタイプ及び厚さ、３）覆われているハンドルコア及びハンドルオーバーレイの大きさ（例えば、長さ、直径など）、を含む変数及びハンドルカバー供給の消尽又は消耗の前に所望される使用量に依存する。利点として、ディスペンサは、ハンドルカバーを繰り出す実質的に任意の所望される方向に固定又は取り付けられる。さらに、ディスペンサハウジングは、ロック可能であり、内部のディスペンサ内容物および／または部品の所望される人以外による不正な変更の恐れを最小限にしつつ補充を容易に達成する。
【００５０】
前述したように、ディスペンサハウジングは、便利な大きさ及び形状にすることができる。同様に、ハンドルは、便利な大きさ及び形状にすることができる。例えば、ハンドルは、様々なアプリケーションにおいて使用するために延在させることができる。自動ハンドルカバーアセンブリは、ドアハンドル以外の適用例を考慮している。例えば、上述のディスペンサは、買い物や他のカートで見られるハンドルを具える様々な最終使用のアプリケーションにおいて使用することができると考慮される。ハウジング自体は、様々な材料で作ることができる。一実施例において、ハウジングは、黒、及び半透明の材料で作ることができ、別の実施例において、ハウジングは、金属製（例えば、クロム合金、金属）の材料で作ることができる。ハウジングは単一の材料で作ることができるが、一又はそれ以上の材料を使用して一のハウジング部分を構成し、異なる材料を使用して別のハウジング部分を構成してもよいと考慮される（例えば、メインハウジング部分は、プラスチックから作り、一方、第２のハウジング部分はクロム合金又は金属で作る）。
【００５１】
図２３は、本発明の一態様に従って、符号２５２で示されるロック可能なドアハンドルアセンブリとともに使用するための自動ハンドルカバーディスペンサ２５０の別の実施例の正面斜視図である。図２４は、ロック可能なドアハンドル２５２アセンブリとともに使用するための自動ハンドルカバーディスペンサ２５０の背面の斜視図である。図２５は、ディスペンサ２５０の正面図であり、ディスペンサがドア２５４（点線で示す）に連結されている。図２６は、図２５のライン２６−２６に沿った、ロック可能なドアハンドルアセンブリ２５２とともに使用するための自動ハンドルカバーディスペンサ２５０の部分的概略断面図である。
【００５２】
図２３乃至２６を参照すると、ディスペンサ２５０は、図９乃至１５の実施例に関して既に上述した種類のディスペンサであり、これにおいて、ディスペンサの内部の部品は本発明の実施例の理解を容易にする必要性のみから示している。これは、しかしながら、図１乃至８及び図１６乃至２２の実施例は、このようなロック可能なドアハンドルに対して使用でき、本発明はここの図又は記述によって制限されるべきではない。さらに、ディスペンサの前述の実施例に関して記述又は示したように、本発明の範囲内で考慮される変更は、本実施例に使用可能（ほぼ使用可能）であると考慮されるべきである。
【００５３】
図２３乃至２５を参照すると、ディスペンサ２５０は、メインハウジング部分２５８（図２５に図示せず）と、第２のハウジング部分ロック２６２（図２４に図示せず）のロックを外しヒンジ２６４を中心にこの部分を回転することによって開くことができる第２のハウジング部分２６０とを具えるハウジング２５６を具える。ディスペンサハンドル２６６はハウジング２５６、より具体的には第２のハウジング部分２６０から突出している。また、ロック２６９（図２３及び２５）を具える一般のロック可能なドアハンドル２６８（図２４）が示されている。二重用途の供給及び巻き取りハンドルカバーカートリッジ２６７が、図２５に点線で示されている。カートリッジは、波線２６５で示すロック２６９を収容する大きさであり、図２６を参照して後述する。
【００５４】
図２４及び２６を参照すると、ディスペンサ２５０のハウジング２５６、より具体的にはメインハウジング部分２５８は回動プレート２７０に連結されている。プレート２７０は、固定プレート２７２に対して摺動関係にあり、この固定プレート２７２が留め具（例えば、ねじ）２７４を介してドア２５４（又は他の面）に締め付けられるか別の方法で固定される。より具体的には、第一のプレート２７０は、ドアハンドルアセンブリ２５４のロック及びアンロック中、ディスペンサ２５０が回転できるようにプレート２７２に一致するインターロックタブ（図示せず）を具える。さらに、プレート２７０は、溝２７３内で摺動できるスタッド２７１（例えば、止めスタッド又はねじ止めスタッド）を介して固定プレート２７２に連結されている（スタッド及び溝が図２４に示されている）。より具体的には、ディスペンサのハンドル２６６（図２４）が対応する方向に押されるときプレート２７０、すなわちディスペンサ２５０自体（回動プレートに固定されている）は、矢印２７６ａ乃至ｂによって示されるように、固定プレート２７２、すなわちドア２５４（固定プレートに連結されている）に対して摺動できる。ハンドル２６６を押す又は引っ張ることによって起こるディスペンサのこのような動き（回転運動）は、ドアを開閉できるように、最終的に、ラッチ機構２７５を収縮させる。一実施例において、第一及び第二のプレートは、ディスペンサの大きさ及び形状に適合した大きさ及び形状である。
【００５５】
図２６を参照すると、ドアハンドルディスペンサ２５０の様々な内部部品及びロック付ドアハンドル２５２が示されている。一例として、前述したように、ディスペンサは、符号２８２で示される歯車列を介して駆動歯車２８４を動かすために用いられるモータアセンブリ２８０を具える。駆動歯車２８４は、上述のように、二重用途（すなわち、供給及び巻き取り）のハンドルカバーカートリッジ２６７（点線で示す）内からハンドルカバー材料（図示せず）を自動供給及び巻き取りをすることができる。バッテリ２８５は、前述したように示され様々な機能を果たす。カートリッジ２６７は、ロック２６９（例えば、「プッシュボタンタイプのロック」）、より具体的には、バネ荷重プランジャ２８６（カートリッジを通過する）を収容するように構成されていることを意図している。ドアがロックされているとき、矢印２７６ａ又は２７６ｂのどちらかに対応する方向のディスペンサ２５０の回転によって、バネ荷重プランジャ２８６が解除される、すなわちドア２５４のロックを外す。バネ機構２８８（例えば、ねじりバネ機構）が使用されて、この元の位置へディスペンサ２５０を戻す（すなわち、ディスペンサがドアを開けるために下へ押されると、バネ機構がディスペンサを上へ押し戻す）。図２３乃至２６の実施例は、「一体型のディスペンサ及びロック可能なドアハンドルアセンブリ」と呼ぶことができる。
【００５６】
図２７は、一体型の自動ハンドルカバーディスペンサ及びロック可能なドアハンドルアセンブリの背面斜視図であり、全体アセンブリが符号３００で示されている。アセンブリ３００は、自動ハンドルカバーディスペンサ３０２と、一般のロック可能なドアハンドルアセンブリ３０４とを具える。しかしながら、上述のように、ディスペンサは、図を参照して上述した実施例に従って変えることができ（すなわち、ディスペンサの一実施例が別のものに代用することができる）、図９乃至１５のディスペンサは例示的な方法を示している。ディスペンサ部品及びこれらの特性が図示され記述されている。さらに、図示されているこの種類のロック可能なドアハンドルアセンブリは一般的に知られているものである。ディスペンサ３０２は、メイン本体部分３０５と、第２のカバー部分３０７とを有するハウジング３０３を具える。第２のカバー部分３０７は、ヒンジ３０９を介してメインハウジング部分３０５に対して開閉し、ロック３１１を介して固定できる。（図２８を参照）
【００５７】
さらに、図２７を参照すると、「部分的に一体型の」アセンブリにおいて、ディスペンサ３０２は、上述の記載と同様にプレートシステムを使用するロック可能なドアハンドルアセンブリ３０４に対して旋回又は回動することができる。より具体的には、ディスペンサ３０２は第１のプレート３０６に連結されている。第１のプレート３０６は、固定プレート３０８に対して摺動し、これは、留め具（例えば、ねじ）３１０を介してドア（図示せず）に取り付けられる又は別の方法で固定される。このような回転及び相対運動をすることができるように、第１のプレート３０６は、固定プレート３０８内の溝３１４内を摺動できるプレート延在スタッド３１２（例えば、ねじ止めスタッド又は止めスタッド）を介して固定プレート３０８に連結されている。第１のプレート３０６は、ドアハンドルアセンブリ３０４のロック及びアンロック中にディスペンサ３０２を回転することができるプレート３０８に一致するインターロックタブ３０７を具える。ユーザが、矢印３１６ａ又は３１６ｂのどちらかに対応する方向にディスペンサ３０２のハンドル３１５を押すか引くと、第１のプレート３０６が固定プレート３０８に対してスタッド３１２を介して摺動しディスペンサが回転する。ディスペンサ３０２の動きによって、旋回プレート３０６がドア機構３１８を解除しドアのロックが外される。戻りバネ機構３１３（例えば、ねじりバネ機構）によって、この元の位置へディスペンサを戻す（例えば、ディスペンサが矢印３１６ａに対応する方向に押されると、バネ機構は、ディスペンサが矢印３１６ｂに対応する方向に動かされる）。
【００５８】
図２８は、図２７に示されている部分的一体型自動ハンドルカバーディスペンサ及びロック可能なドアハンドルアセンブリ３００の正面図である。全体アセンブリ３００は、自動ハンドルカバーディスペンサ３０２と、一般のロック可能なドアハンドルアセンブリ３０４とを具える。図に示すように、ドアハンドルアセンブリ３０４は、プッシュボタンロック３１９を有するハンドル３１７を具える。図２７を参照して示すように、矢印３１６ａ又は３１６ｂのどちらかの方向のハンドル３１５の動きによって、プッシュボタンロック３１９が解除され、従って、ドアハンドルアセンブリ３０４のロックが外される。
【００５９】
図２９及び３０は、本発明の一態様に従った自動ハンドルカバーアセンブリ３２０のそれぞれ、背面斜視図及び正面図である。アセンブリ３２０は、一対のプレート３２６ａ及びｂを介して、ロック可能なドアハンドルアセンブリ３２４、具体的にはハンドル３２５と機能的に関連するハンドルカバーディスペンサ３２２を具える。ディスペンサアセンブリは、一般のロック可能なドアアセンブリと共に使用するためのレトロフィットを構成することができる。ディスペンサ３２２は、図９乃至１５に関して図示及び上述された実施例を使用して示されているが、他の実施例は、レトロフィットアセンブリの一部として使用することが考慮され、レトロフィットアセンブリは図に限定されるべきではないと理解されるべきである。さらに、内部部品は、上述したように変更することができる。ディスペンサ３２２はハウジング３２８と、ハウジングから突き出しているハンドルオーバーレイ３３０とを具える。ハンドルカバー（図示せず）は、上述したように、ディスペンサから自動的に繰り出される。ハウジング３２８は、メイン本体部分３３２と、ヒンジ３３６（図３０）を介してメインハウジング部分に対して開閉しロック３３７（図３０）を介して固定できる第２のカバー部分３３４（図２９）とを具える。
【００６０】
図２９を参照すると、ディスペンサ３２２のメインハウジング部分３３２は、留め具（例えば、ねじ）３４０を介してドア（図示せず）に取り付けられる又は別の方法で固定されている固定プレート３３８に対して旋回する旋回プレート３３３に連結されている。より具体的には、ディスペンサメインハウジング部分３３２は、スタッド３４２を介して固定プレート３３８に連結されている第１のプレートに連結されている。第１のプレート３３３のスタッド３４２（例えば、ねじスタッド）は、固定プレート３３８の溝３４４内で摺動することができる。さらに、第１のプレート３３３は、ドアハンドルアセンブリのロック及びアンロック中にディスペンサ３２０を回転させることができるプレート３３８に一致するインターロックタブ３４９を具える。このように、矢印３４６ａ又は３４６ｂに対応する一方向（例えば、上又は下）にディスペンサのハンドル３３０が押されると、ディスペンサ３２２は、対応する方法で固定プレート３３８に対して摺動することができる。ハンドル３３０を押す又は引くことによって起こるディスペンサの回転運動は、プレートがディスペンサ３２２と隣接接触していることによって、順に、対応する方向にプレート３２６ａ及びｂを動かす。プレート３２６ａ及びｂはロック可能なドアハンドル３２５に連結されているので、プレート３２６ａ及びｂの運動によって、既知の方法でロック可能なドアハンドルアセンブリ３２４のロックが外される。図示された実施例において、プレート３２６ａ及びｂは、図示するように、ディスペンサ３２０にのみ隣接接触しているので、ディスペンサハンドル３３０（又はディスペンサ自体）が矢印３４６ｂに対応する一方向に動かされたときにのみロック可能なハンドル３２５のロックが外されることに注意すべきである。最後に、バネ機構３４８（例えば、ねじりバネ）を用いて、この元の位置へディスペンサ３２２を戻す。すなわち、ディスペンサが、矢印３４６ｂに対応する方向にドアを開くために押されてディスペンサハンドルが解除されるとき、バネ機構は、矢印３４６ａに対応する方向にディスペンサを動かす。
【００６１】
追加点として、一実施例において、固定プレート３３８は、ディスペンサ３２０の大きさ及び形状に適合した大きさ及び形状である。また、使用（すなわち、ユーザとハンドルオーバーレイ３３０の接触）後にハンドルカバー（図示せず）の自動前進をもたらすように使用されるセンサ３４５（例えば、赤外線、キャパシタンス、波、など）が図２９に示されている。図３１及び３２は、また、スリット又は溝５０８が上部から下部へハンドルオーバーレイに形成された状態で、ハンドルコア５０４及びハンドルオーバーレイ５０６を具えるハンドル５０２を具えるディスペンサ５００の一実施例の斜視図を示す。ハンドルオーバーレイはハンドルコアによって受けられているので、溝は全体のハンドル強度を犠牲（又はほぼ犠牲）にしないことが利点である。ハンドルコアは、恒久的であるよう考慮することができ、全体のハンドル強度を提供するように本質的に機能する。しかしながら、溝によって、サービスカスタマーがハンドルカバー材料５０９を取り替えることができるようになる（例えば、ハンドルカバーが、破壊行為を含む何らかの理由で裂ける又は別の方法で損傷したとき）。ハンドルカバー材料が損傷すると、サービスカスタマー又は他の人は、簡単にディスペンサを開けて（上述したように）、カートリッジ５１２の供給部５１０からハンドルカバー材料を引いて、続いて、ハンドルオーバーレイのスリット及びハンドルコア（ハンドルオーバーレイを受ける）を通して（図示するように上方に）ハンドルカバー材料を引っ張る。図示するように、ハンドルオーバーレイの上部で、材料は、裏返しにされて、巻き取り又は回収部５１４へ下方へ引っ張られる（これは、ここに記述した全ての実施例に使用可能である）。
【００６２】
ハンドルカバー材料は回収部に固定される（例えば、プラスチックハウジング内にテープ又は小さいスリットを使用して、カートリッジ用の材料に保持する）。さらに、ディスペンサは、ハンドルカバー材料を回収部に適切に確実に巻きつけるように自動的に２、３回前進させる。ディスペンサは閉じて動作状態となる。ディスペンサの特定の実施例が示されているが、任意のディスペンサを使用することができる。
【００６３】
図３３及び３４は、ディスペンサ５２１が取り付けられている構造物（例えば、ドア）に取り付けることができるレトロフィット機構５２０の一実施例の斜視図である。アーマチャ５２２は、これを介して好ましくない物質（例えば、たばこの吸い殻）がハンドル内部へ入ることを無くす又はほぼ無くすとともに、ハンドルの必要な分だけ引いて／押して露出することができるようにハンドル５２４の上部を覆う。さらに、ハンドル５２４が強く引っ張られた場合に、アーマチャ５２２はハンドル５２４が壊れることを防ぐように機能することができる。レトロフィット機構は、ロック５２６を介してロックすることができ、ロックは、例えば、前述したように、ディスペンサロック５２７のロックを外すことができるキーと同じ又は（類似の）キーを使用してアクセスできる。ディスペンサの具体的な実施例が示されているが、任意のディスペンサを使用することができる。
【００６４】
図３５は、本発明の一態様に従って図示された一対のハウジング部分４０２、４０４を具える自動ハンドルカバーディスペンサ４００の別の実施例の斜視図である。ディスペンサ４００は、ドアなどの構造物４０１に取り付けられる又は別の方法で固定される。図示するように、ハウジング部分４０２は、メインハウジング部分４０６と、ヒンジ４１０周りに開くことができロック４１２を介してロックする及びロックを外すことができるカバー部分４０８とを具える。同様に、ハウジング部分４０４は、メインハウジング部分４１４と、ヒンジ４１８周りに開くことができロック４１３を介してロックできるカバー部分４１６とを具える。一般に、ハウジングの形は、便利に変えることができるが、好ましくは、外見上美しく、収容されたディスペンサの内部機構に適合して覆うように構成される。ハウジングは金属やプラスチックを含む様々な材料で作ることができる。さらに、ディスペンサは、特定の方向で示されているが、方向は便利に変えることができると理解されるべきである。さらに、ディスペンサが固定される構造物は、本発明の意図及び範囲から外れることなく変更できることを意図している。一実施例において、構造物は、平らかほぼ平らなドアの形をしているが、他の適用例が意図されてもよい（例えば、器具をショッピングカートに取り付ける）。ディスペンサ４００は、さらに、管形状（ユーザによって握りやすくする）で示されるハンドル４２０を具える。ハンドルカバー材料４２２（点線で示す）が示されており、ハンドルを覆うように配置される。一実施例において、上述し図示するように、ハンドルカバー材料はハンドル４２０を囲む又はほぼ囲む連続的なスリーブから構成される。
【００６５】
図３６は、ディスペンサの内部部品を観察するように、メインハウジング部分が取り外された状態の図３５のディスペンサ４００の斜視図である。ディスペンサ４００は、留め具又は他の固定手段（図示せず）を介して固定されているプレート４２４ａ及びｂを介して、構造物４０１（例えば、バスルームのドア、カフェテリアのドアなど）に固定されて示されている。ディスペンサは管状部材の形である。上述の実施例において、二重用途のハンドルカバーリフィルカートリッジが記述されている。しかしながら、本実施例は、２つの別個のリール、すなわち、送り込み又は供給リール４２６及び巻き取り又は回収リール４２８を組み込んでいる。供給リール４２６は、図示されているように、固定機構４２４ａを介して支持構造物４０１に連結されている。クリップ４２７はこの連結を容易にする。巻き取りリール４２８は、固定機構４２４ｂを介して支持構造物４０１に連結されている支持構造物４３０に連結され、これによって支持されている。クリップ４２９はこの連結を容易にする。支持構造物４３０はモータ機構４３２を支持する。本実施例において、モータ機構４３２は、符号４３４で示される歯車列を介して巻き取りリール４２８の回転運動を駆動する。より具体的には、巻き取りリール４２８は、歯車列４３４を介して直接駆動される駆動歯車４３６を具える。構造物４３０を支持することで、さらに、ＰＣＢ（図示せず）と、電子機器特性（例えば、モータアセンブリ）に電力を供給するバッテリ４３８を支持する。
【００６６】
さらに、図３６を参照すると、取付を達成するために、衛生的なハンドルカバー材料４２２は、供給リール４２６から巻き取りホイール４２８へ、矢印４３９によって示されるように上方に引き出され、ハンドル４２０を覆って通過する。切断器具４４０（二側部の部レートを示している）を使用して、巻き取りリール４２８でハンドルカバー材料の適切な回収を行うためにハンドルカバー材料４２２を分ける又は切る。
【００６７】
さらに図３６を参照すると、図示するように、スプールなどの供給リール４２６は、歯車４４４を具える。供給リール４２６はハンドルカバー材料４２２が消耗すると、巻き取りリール４２８と共に交換することができる。より具体的には、リール４２６及び４２８は、離脱させて取り外すことができ、汚れたおよび／または使用済みのハンドルカバー材料を有する巻き取りリールは、所望されるとおりに廃棄および／または再生利用することができる。供給リール４２６は駆動歯車４４４を具えるので、巻き取りリール位置に配置することができることを意図している。このような交換が、矢印４４６によって示されている。この方法において、供給リール４２６は巻き取りリールとして使用することができる。新しい供給リール（図示せず）を提供してもよい。従って、ハンドルカバー材料の供給物が消耗したとき、リールは交換されるので、一の新しいリール（新しい供給リール）のみを提供する必要があることが利点である。
【００６８】
再度、図３５に戻ると、ハンドルカバー材料４２２がハンドル４２０を通過するとき、これらはハウジング部分４０４の内部から出て、ハンドル部分を越えて（従って任意のハウジング部分の外部）、ハウジング部分４０２の内部へ入る。ハウジング部分４０２内で、ハンドルカバー材料はスリーブ材料を切るように機能するカッター４４０上を通って、これは巻き取りリール４２８に巻き付くことができる（ロック４１２への干渉を避けて）。
【００６９】
図３６を再度参照すると、使用中、駆動機構４３２は、歯車機構４３６を介して巻き取りリール４２８を回転させることによって、ハンドルカバー材料４２２を進ませるように機能する。これは、連結されたハンドルカバー材料をハンドル４２０上に引き出し、例えば構造物４０１（前述したようにドアハンドルにすることができる）を動かすためにユーザが使用する（すなわち、握る）ハンドルに衛生的な面を提供する。また、対象物検知センサ（赤外線、キャパシタンスなど）４４１は、ハンドルカバーの自動前進をもたらすように具えられる。本実施例において、磁力検知又はスイッチ技術が好ましく、従って、これを使用することを意図しているが、上述したような様々なパラメータに基づく方法で、ハンドルカバー材料又は使用中に進むハンドルカバー材料の量を観察および／または測定できる。さらに、前述したように、本実施例の様々な態様（例えば、ハウジング、ハウジング内の電子機器装置のいくつかのタイプや配置など）は、便利に変更でき、従って、本発明は、このような機構のタイプおよび／または配置に限定されるべきではないと当業者は理解しうる。ディスペンサ４００を固定している基材がドアである場合、本発明の他の実施例と同様に、ディスペンサがドアハンドルを補完する又は交換するように機能させることができる。
【００７０】
一般的に、利点として、上述の実施例の少なくともいくつかは、実質的に全てのタイプのドアに「レトロフィット」として使用することができる。さらに、全ての衛生的なハンドルカバーが繰り出された後又は何らかの理由で機能しなくなった場合でさえ、ドアを使用することができることが利点である（ドアハンドルを介して）。さらに、実施例は、一般的にバッテリ電源である。対象物検知センサが、ハンドルカバー材料の前進を始めるために一般的に使用され、（使用済みのカバー材料を未使用の材料で補充するように）ハンドルカバー材料の前進を所望の長さにわたって駆動することができる。機械的な又は電子的なスイッチ（マイクロスイッチ）、および／またはスマートチップ技術、同種のものを用いて、スリーブ又はスリーブ材料の量を決定し、また、スリーブリフィルが必要とされる時期を決定できる（すなわち、ディスペンサからの複数のスリーブ又はスリーブ材料の消耗の際）。ＬＥＤ’ｓおよび／または音（例えば、ビープ音）技術を用いて、例えば、リフィルおよび／または新しいバッテリが必要とされる時期を知らせることができる。器具が何らかの方法で正常に機能しない（たとえば、ハンドルカバーカッターが動作しない）場合、自動停止機構が考慮されている。本発明の様々な態様に従って、一又はそれ以上の上述のリフィルカートリッジは、「再充填可能」、「再生使用可能」、及び「使い捨て可能」であるということができる。
【００７１】
上述のセンサ及びスイッチ技術は、部品と、ソフトウェア（及び関連するアルゴリズム）とを具えると、理解されるべきである。このような部品及びアプリケーションは、当業者によく知られており入手可能である。ソフトウェアアプリケーション及び関連するプログラムは、特定の最終使用又は最終的なユーザの必要性に従って、使用される様々な部品を活用するためにカスタマイズすることができる。
【００７２】
上述したように、ディスペンサ内に収容されるハンドルカバー材料の総量又は分量は、ａ）カートリッジ及びこの部品（例えばカートリッジ内のリール）のサイズ、ｂ）材料の厚さ、ｃ）器具及びこの部品の幾何学的形状（例えば、ハンドルの長さ／直径／サイズ）を含む多くの変数に依存する。本発明の一実施例において、任意の交換カートリッジを取り付ける前に、ディスペンサは、何回も（１０００回又はおそらくそれ以上）使用できるハンドルカバー材料を収容できるように考慮されている。さらに、このような「衛生的な使用」の数は便利に変えることができる。ハンドルカバー材料のタイプおよび／または量を選択するために様々なオプションを利用できる。一実施例において、例えば、カスタマーは、厚みのある材料と比較的薄い材料の間から選ぶことができる。別の実施例において、カスタマーは短い、中間、及び長いハンドルのうちの一つを選ぶこともできる。これらなどのオプションは、例えば、製造業者及びカスタマーによって調節されることができるパラメータ内又はこれに基づいて便利に変更できる。それぞれ、一般的に、すべての所望されるパラメータがＰＣＢによって確実に認識され、使用されるハンドルカバー材料の量を適切にすることができるように特定のプログラムを必要とする。
【００７３】
上述したように、使用されるセンサ技術は便利に変更することができる。一態様に従って、使用されるセンサ技術は、赤外線、占有検知、キャパシタンス検知、全ての範囲及びパルス変化のＩＲ、及び他のセンサ技術から構成することができる。既知の赤外線技術を使用して（例えば、トランスミッタ及びレシーバを使用）、ユーザの手をハンドルから放すと、材料（例えば、スリーブ材料）が進むようにハンドルカバー材料の自動前進を達成することができる。このような技術を使用することは、リフィルが効率的及び頻繁に達成できるときなど、往来が少ない及び往来が多い両方の環境において適切である。本発明の別の態様に従って、「波検知」（又は短いパルス及び短い範囲のＩＲ）と一般的に呼ばれる技術を使用することができる。このような技術を使用することは、ユーザの手の波に関係してハンドルカバー材料の前進が所望されるとき、具体的には、未使用の材料が所望される時をユーザが決めることができるとき（すなわち、ユーザが望むかどうかにかかわらずスリーブが自動前進することとは対照的に）に適切である。本実施例のさらに別の態様に従って、キャパシタンスおよび／または動き検知技術（又は対象物の検知）を使用することができる。一般的なキャパシタンスおよび／または運動センサは、例えば、ドアが閉じて、手がハンドルから一定の距離にあるとき、又は手がハンドルから離れたときなどにスリーブを自動前進させることができる。ここで、再び、このような技術を使用することは、リフィルが効率的に及び頻繁に達成できるときなど、往来が少ない及び往来が多い両方の環境において適切である。そして、本発明の別の態様に従って、前述の検知技術の組合せて用いることができ、カスタマーおよび／または最終ユーザが前進技術や関連するプログラムが最適となるように決定することができる。
【００７４】
一般的に、当業者は、これら及び本発明の他の実施例におけるハウジング、歯車、ハンドル、ブレード、及びカートリッジの構成及び部品に変更を成しうることを理解しうる。このような変更は、本発明の範囲内で意図及び考慮され、本発明は、構成の基準に基づいて選択又は変更できる、又は構成の選択の問題であるとして図示した特定の構成によって限定されると考えられるべきではなく便利に変更できる。
【００７５】
前述したように、多数の変更及び改良が本発明の新しい概念の意図及び範囲から外れることなくなされてもよいことを理解しうる。ここに示した特定の方法や装置に限定する意図や示唆ではないと理解されるべきである。もちろん、クレームの範囲内で成される全てのこのような変更は、添付したクレームに及ぶことを意図している。
【図面の簡単な説明】
【００７６】
【図１】図１は、本発明の少なくとも一の実施例に従った自動ハンドルカバーディスペンサの斜視図である。
【図２】図２は、図示されるハンドルが横になるように異なる方向における自動ハンドルカバーディスペンサの斜視図である。
【図３】図３は、ディスペンサの様々な内部の部品を示すように、ハウジングを取り外した状態のディスペンサの正面斜視図である。
【図４】図４は、図３に示したディスペンサの背面斜視図であり、様々なこの内部部品を示す。
【図５】図５は、ディスペンサの正面の、部分拡大図が示されており、様々な内部部品を示し、二重用途のハンドルカバーリフィルカートリッジを具える。
【図６】図６は、二重用途のハンドルカバーリフィルカートリッジの様々な部品の分解図である。
【図７】図７は、本発明の一態様に従って、取り付けられたハンドルカバー材料及び使用状態にあるディスペンサを示す自動ハンドルカバーディスペンサの概略断面図である。
【図８】図８は、図７のライン８−８に沿ったディスペンサのハンドルの断面図である。
【図９】図９は、本発明の別の態様に従った自動ハンドルカバーディスペンサの別の実施例の斜視図である。
【図１０】図１０は、本発明の一態様に従った二重用途のハンドルカバーリフィルカートリッジの別の実施例を示す図９の自動ハンドルカバーディスペンサの部分的な分解図である。
【図１１】図１１は、図９の自動ハンドルカバーディスペンサの部分的分解図であり、ディスペンサが開いた位置で示されており、本発明の少なくとも一実施例に従って、二重用途のハンドルカバーリフィルカートリッジはディスペンサ内へ挿入され、さらに、ハウジングとハンドルカバー装置に対するハンドルの配置および／または取付が示されている。
【図１２】図１２は、図９に示したディスペンサに使用するための二重用途のハンドルカバーリフィルカートリッジの拡大した部分図である。
【図１３】図１３は、図９に示したディスペンサの部分的な概略断面図であり、取り付けられて使用状態にあるハンドルカバーを示す。
【図１４】図１４は、本発明の少なくとも一態様に従った図９の自動ハンドルカバーディスペンサに使用できるハンドルオーバーレイの一実施例の拡大斜視図である。
【図１５】図１５は、図１３のディスペンサの様々な内部部品の部分的な正面斜視図である（ディスペンサハウジングは取り除かれた状態である）。
【図１６】図１６は、本発明の別の態様に従った自動ハンドルカバーディスペンサの別の実施例の斜視図である。
【図１７】図１７は、図１６の自動ハンドルカバーディスペンサの部分的な分解図であり、本発明の一態様に従った、二重用途のハンドルカバーリフィルカートリッジの別の実施例を示す。
【図１８】図１８は、図１６の自動ハンドルカバーディスペンサの部分的な分解図であり、ディスペンサは開いた位置で示されており、二重用途のハンドルカバーリフィルカートリッジはディスペンサ内へ挿入されている状態であり、さらに、本発明の少なくとも一実施例に従って、ハウジングに対するハンドルオーバーレイ及びハンドルカバーの配置および／または取付とディスペンサ内へのハンドルオーバーレイ及びカバー設置が示されている。
【図１９】図１９は、図１６のディスペンサの実施例に使用することができるハンドルカバーリフィルカートリッジの拡大した部分断面図である。
【図２０】図２０は、本発明の少なくとも一態様に従って、図１６の自動ハンドルカバーディスペンサに使用することができるハンドルオーバーレイの一実施例の拡大斜視図である。
【図２１】図２１は、図１６に示したディスペンサの実施例に使用することができる二重用途のハンドルカバーリフィルカートリッジの拡大図であり、ハンドルカバー材料の回収を容易にするカートリッジカバーの形状を有する。
【図２２】図２２は、本発明の一態様に従って、図１９のディスペンサ（他の実施例と同様）に使用できる測量及び測定器具を示す図１９のライン２２−２２に沿った拡大図である。
【図２３】図２３は、本発明の一態様に従って示される、一体型の自動ハンドルカバーディスペンサ及びロック可能なドアハンドルの別の実施例の正面斜視図である。
【図２４】図２４は、図２３に示した一体型の自動ハンドルカバーディスペンサ及びロック可能なドアハンドルの背面斜視図である。
【図２５】図２５は、図２３に示した一体型の自動ハンドルカバーディスペンサ及びロック可能なドアハンドルの正面図である。
【図２６】図２６は、図２５のライン２６−２６に沿った、一体型の自動ハンドルカバーディスペンサ及びロック可能なドアハンドルのアセンブリの部分的概略断面図である。
【図２７】図２７は、本発明の一態様に従った一体型の自動ハンドルカバーディスペンサ及びロック可能なドアハンドルアセンブリの背面斜視図である。
【図２８】図２８は、図２７に示されている部分的一体型の自動ハンドルカバーディスペンサ及びロック可能なドアハンドルアセンブリの正面図である。
【図２９】図２９は、本発明の一態様に従ったレトロフィットの自動ハンドルカバーディスペンサ及びロック可能なドアハンドルアセンブリの背面斜視図である。
【図３０】図３０は、図２９のレトロフィットの正面図である。
【図３１−３２】図３１及び３２は、前述したディスペンサの斜視図であるが、損傷したハンドルカバー材料及び付随するハンドルオーバーレイの詳細の交換を示している。
【図３３−３４】図３３及び３４は、ディスペンサ内へ好ましくない物質が入ること又は他の関係する破壊行為を無くす又はほぼ無くすように、ディスペンサが取り付けられる構造物（例えば、ドア）に取り付け、ハンドルの上部（すなわち、図示するようにハンドルオーバーレイ及びコア）を覆うことができるレトロフィット機構（付属物）の一実施例の斜視図である。
【図３５】図３５は、一対のハンドルカバーカートリッジを収容する一対のメインハウジング部分を具える自動ハンドルカバーディスペンサの別の実施例の斜視図であり、本発明の一態様に従って図示されている。
【図３６】図３６は、ディスペンサの様々な内部部品を観察するように、メインハウジング部分が取り外された状態の図３５のディスペンサの斜視図である。
【図１】
2009533579.tif 000003
【図２】
2009533579.tif 000004
【図３】
2009533579.tif 000005
【図４】
2009533579.tif 000006
【図５】
2009533579.tif 000007
【図６】
2009533579.tif 000008
【図７】
2009533579.tif 000009
【図８】
2009533579.tif 000010
【図９】
2009533579.tif 000011
【図１０】
2009533579.tif 000012
【図１１】
2009533579.tif 000013
【図１２】
2009533579.tif 000014
【図１３】
2009533579.tif 000015
【図１４】
2009533579.tif 000016
【図１５】
2009533579.tif 000017
【図１６】
2009533579.tif 000018
【図１７】
2009533579.tif 000019
【図１８】
2009533579.tif 000020
【図１９】
2009533579.tif 000021
【図２０】
2009533579.tif 000022
【図２１】
2009533579.tif 000023
【図２２】
2009533579.tif 000024
【図２３】
2009533579.tif 000025
【図２４】
2009533579.tif 000026
【図２５】
2009533579.tif 000027
【図２６】
2009533579.tif 000028
【図２７】
2009533579.tif 000029
【図２８】
2009533579.tif 000030
【図２９】
2009533579.tif 000031
【図３０】
2009533579.tif 000032
【図３１】
2009533579.tif 000033
【図３２】
2009533579.tif 000034
【図３３】
2009533579.tif 000035
【図３４】
2009533579.tif 000036
【図３５】
2009533579.tif 000037
【図３６】
2009533579.tif 000038
【国際調査報告】
2009533579.tif 000039
2009533579.tif 000040